(57)【要約】【課題】パネルを支持する横枠に対する負担を軽減するのに適した構造の建具を提供する。【解決手段】横枠２８、３０、３２と縦枠３４とにより枠組みされている枠体２２の内側に少なくとも一つのパネル２４、２６が収められた窓１８を備え、パネル２４、２６には、その重心に対して左右方向の一方側に偏った箇所が下側の横枠３２により支持され、その重心に対して左右方向の他方側に偏った箇所が上側の横枠３０により吊られた状態で支持される吊りパネル２６が含まれる。【選択図】図１
2017122320.tif 000002
【特許請求の範囲】
【請求項１】
横枠と縦枠とにより枠組みされている枠体の内側に少なくとも一つのパネルが収められた窓を備え、
前記パネルには、その重心に対して左右方向の一方側に偏った箇所が下側の横枠により支持され、かつ、上側の横枠により吊られた状態で支持される吊りパネルが含まれることを特徴とする建具。
【請求項２】
前記上側の横枠は、前記吊りパネルの重心に対して、前記下側の横枠による支持箇所とは左右反対側に偏った箇所を支持する請求項１に記載の建具。
【請求項３】
前記窓は、前記パネルが上下に複数並べられ、
前記吊りパネルは、前記窓の最下段にあるパネルより上段側にあるパネルである請求項１又は２に記載の建具。
【請求項４】
前記窓は、左右に複数並べられて角部をもつように配置され、
前記下側の横枠は、前記吊りパネルの重心に対して、左右方向の前記角部とは反対側に偏った箇所を支持し、
前記上側の横枠は、前記吊りパネルの重心に対して、左右方向の前記角部側に偏った箇所を支持する請求項３に記載の建具。
【請求項５】
前記複数の窓それぞれの枠体は、前記角部に縦枠がない構造である請求項４に記載の建具。
【請求項６】
前記窓は、前記吊りパネルに取り付けられ、前記上側の横枠の一部に引っ掛けられる引っ掛け部材を備える請求項１から５のいずれかに記載の建具。
【請求項７】
前記引っ掛け部材は、前記上側の横枠の一部に引っ掛けられる引っ掛け部と、前記吊りパネルに接着により取り付けられるパネル取付部と、を有し、
前記引っ掛け部は、前記吊りパネルに対して厚さ方向の一面側に配置され、
前記パネル取付部は、前記吊りパネルの一面とは反対側の他面、又は、前記吊りパネルの側面に取り付けられる請求項６に記載の建具。
【請求項８】
前記上側の横枠は、前記引っ掛け部材が引っ掛けられ、他の部位と一体成形されている掛け止め部を有する請求項６又は７に記載の建具。
【発明の詳細な説明】
【技術分野】
【０００１】
本発明は、建物等の開口部に設置される建具に関する。
【背景技術】
【０００２】
建物等の開口部には、通常、室外空間と室内空間とを仕切るための建具が設置される。建具は、縦枠と横枠とにより枠組みされた枠体の内側にパネルが収められた窓を備えている。
【０００３】
この種の建具では、パネルに対して下側の横枠によりパネルの荷重を支持するため、パネルと横枠との間にセッティングブロックを配置する場合がある。特許文献１には、このようなセッティングブロックを、パネルの左右両側の二箇所に配置した建具が開示されている。
【先行技術文献】
【特許文献】
【０００４】
【特許文献１】特開平１０−８６１２号公報
【発明の概要】
【発明が解決しようとする課題】
【０００５】
本発明者は、特許文献１の構造に関して検討した。この結果、特許文献１の構造を用いた場合、パネルを下側から支持する横枠に対する負担が増大するケースがあるとの知見を得た。横枠に対する負担が大きい場合、横枠の強度を確保するために、断面寸法の大型化や素材の高強度化の必要が生じる。これは製品コストの増大を招くため、その改善が求められる。
【０００６】
本発明は、このような課題に鑑みてなされ、その目的は、パネルを支持する横枠に対する負担を軽減するのに適した構造の建具を提供することにある。
【課題を解決するための手段】
【０００７】
上記課題を解決するための本発明のある態様は建具である。
第１態様の建具は、横枠と縦枠とにより枠組みされている枠体の内側に少なくとも一つのパネルが収められた窓を備え、前記パネルには、その重心に対して左右方向の一方側に偏った箇所が下側の横枠により支持され、かつ、上側の横枠により吊られた状態で支持される吊りパネルが含まれることを特徴とする。
【０００８】
第１態様の建具によれば、吊りパネルから下側の横枠に付与される荷重を軽減できる。また、吊りパネルから下側の横枠に荷重が付与される箇所を左右方向の一方側に偏らせることができる。これらが相まって、下側の横枠、特に、横枠の他方側部分に対する負担を軽減させることができる。
【発明の効果】
【０００９】
本態様によれば、パネルを支持する横枠に対する負担を軽減するのに適した構造の建具を提供できる。
【図面の簡単な説明】
【００１０】
【図１】実施形態の建具を模式的に示す斜視図である。
【図２】図１のＡ−Ａ線断面図である。
【図３】図２のＢ−Ｂ線断面図である。
【図４】図２のＣ−Ｃ線断面図である。
【図５】実施形態の建具の一つの窓を正面から見た模式図である。
【図６】（ａ）は参考例の建具の一つの窓の曲げモーメント図であり、（ｂ）は実施形態の一つの窓の曲げモーメント図である。
【図７】（ａ）は第１変形例の引っ掛け部材を示す図であり、（ｂ）は第２変形例の引っ掛け部材を示す図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
図１は実施形態の建具１０を模式的に示す斜視図であり、図２は図１のＡ−Ａ線断面図である。
建具１０は、建物の開口部１２に設置される。建具１０は、建物の内側の室内空間１４と外側の室外空間１６とを仕切る。本実施形態の建具１０は、二つの窓１８を備えている。二つの窓１８は、左右に複数並べられて角部２０をもつように配置されることで、角部２０をもつ連窓を構成する。連窓の角部２０は、隣り合う窓１８の突き合わせ箇所に形成される。連窓の角部２０は、隣り合う窓１８それぞれのパネル２４、２６（後述する）の面内方向が交差するように設けられることで形成される。
【００１３】
図３は図２のＢ−Ｂ線断面図である。
図１、図３に示すように、二つの窓１８は、それぞれ、枠体２２と、複数のパネル２４、２６とを備える。本実施形態の窓１８は、枠体２２に対してパネル２４、２６が固定された固定窓である。また、本実施形態の窓１８は、パネル２４、２６が上下に複数並べられた段窓でもある。以下、一つの窓１８の各構成要素を説明するときは、図３に示すように、建物の開口部１２に設置された状態を基準として、一つの窓１８のパネル２４、２６の厚さ方向を見込方向Ｚとし、見込方向と直交する方向を見付方向とする。見付方向には、一つの窓１８のパネル２４、２６を正面から見て左右となる左右方向Ｘと、上下となる上下方向Ｙとが含まれる。
【００１４】
図１に示すように、枠体２２は、横枠２８、３０、３２と縦枠３４とにより枠組みされている。枠体２２は、矩形の三辺に沿う位置に配置される下横枠２８、上横枠３０及び縦枠３４と、下横枠２８と上横枠３０との間に配置される中間横枠３２とを備える。中間横枠３２は、中間横枠３２に対して上側に配置されるパネル２６を支持する無目として機能する。
【００１５】
枠体２２は、連窓の角部２０に方立とよばれる中間縦枠がない構造である。言い換えると、枠体２２は、一つのパネル２４、２６に対して左右方向の角部２０側に縦枠がなく、角部２０とは反対側に縦枠３４がある構造である。隣り合う窓１８の枠体２２の横枠（下横枠２８、上横枠３０、中間横枠３２）は、互いの長手方向の端面が突き合わせられている（図２参照）。
【００１６】
枠体２２は、パネル２４、２６を内側に収めるための二つのパネル収容部３６を有し、二つのパネル収容部３６は上下に並べられている。パネル収容部３６は、矩形の少なくとも三辺に沿う位置に配置される横枠２８、３０、３２、縦枠３４に囲まれて形成される。詳しくは、上側のパネル収容部３６は、上横枠３０、中間横枠３２、縦枠３４により囲まれて形成される。下側のパネル収容部３６は、中間横枠３２、下横枠２８、縦枠３４により囲まれて形成される。
【００１７】
本実施形態のパネル２４、２６は単板ガラスである。パネル２４、２６は正面から見て矩形状をなす。隣り合う窓１８は、一つの窓１８のパネル２４、２６の周縁部に対して他の窓１８のパネル２４、２６の周縁部が間隔を空けて突き合わせられている。一つの窓１８のパネル２４、２６と他の窓１８のパネル２４、２６との突き合わせ箇所には、これらの間の隙間を塞ぐためのシーリング材３８が介装される（図２も参照）。一つの窓１８のパネル２４、２６と他の窓１８のパネル２４、２６との間はシーリング材３８によりシールされている。
【００１８】
パネル２４、２６には、後述のように、隣り合う上側の横枠３０により吊られた状態で支持される吊りパネル２６が含まれる。本実施形態の吊りパネル２６は、段窓となる窓１８の最下段にあるパネル２４より上段側にあるパネル２６である。本実施形態の建具１０は吊りパネル２６に関連する内容に特徴があるが、先に周辺構造から説明する。
【００１９】
図３に示すように、下横枠２８は、建物の躯体に固定される下横枠部材４０を備える。上横枠３０は、建物の躯体に固定される上横枠部材４２と、上横枠部材４２に取り付けられる第１横押縁部材４４とを備える。中間横枠３２は、縦枠３４に接続される中間横枠部材４６と、中間横枠部材４６に取り付けられる第２横押縁部材４８とを備える。図２に示すように、縦枠３４は、建物の躯体に固定される縦枠部材５０と、縦枠部材５０に取り付けられる縦押縁部材５２とを備える。
【００２０】
下横枠部材４０、上横枠部材４２、縦枠部材５０のそれぞれは建物の躯体にアンカー金具等を介して固定される。ここでの躯体とは、図示しないが、建物の柱、梁等である。各押縁部材４４、４８、５２は各枠部材４２、４６、５０との間で室外側ビート５４（第１ビート）及び室内側ビート５６（第２ビート）を介してパネル２４、２６を挟み込むために各枠部材４２、４６、５０に取り付けられる。各枠部材４２、４６、４８、各押縁部材４４、４８、５２のそれぞれは、アルミニウムのような金属等を素材として、各部位が一体成形された押出成形品である。
【００２１】
図３に示すように、下横枠部材４０、上横枠部材４２、中間横枠部材４６のそれぞれは、ビス等の締結具をねじ込むための穴部５８を有する。図２に示すように、各横枠部材４０、４２、４６は、連窓の角部２０とは反対側の端部が縦枠部材５０の周壁部５０ａに対して突き合わせられる。ここでの縦枠部材５０の周壁部５０ａとは、パネル２４、２６の左右一方側の周縁部に対してその一方側に配置され、見込方向Ｚに延びる板状をなしている。各横枠部材４０、４２、４６の穴部５８には、縦枠部材５０の周壁部５０ａを貫通する締結具６０がねじ込まれる。各横枠部材４０、４２、４６は、この締結具６０により縦枠部材５０と共締めされることで、縦枠部材５０に接続される。このとき、中間横枠３２は縦枠３４に対して片持ちに支持される。
【００２２】
図２、図３に示すように、パネル収容部３６は、パネル２４、２６の四辺の周縁部のうちの三辺の周縁部のそれぞれを収める三つのパネル保持溝６２を有する。三つのパネル保持溝６２はパネル２４、２６の三辺の周縁部に沿って連なるように設けられる。パネル保持溝６２には入口側から溝底側に向けてパネル２４、２６の周縁部が入り込んでいる。
【００２３】
パネル２４、２６の下側のパネル保持溝６２は、パネル２４、２６に隣り合う下側の横枠２８、３２の枠部材（下横枠部材４０、中間横枠部材４６）の上面に形成される。パネル２４、２６の上側のパネル保持溝６２は、パネル２４、２６に隣り合う上側の横枠３０、３２の枠部材（上横枠部材４２、中間横枠部材４６）と横押縁部材４４、４８とにより形成される。パネル２４、２６の左右方向の一方側のパネル保持溝６２は、パネル２４、２６に隣り合う縦枠３４の縦枠部材５０と縦押縁部材５２とにより形成される。
【００２４】
パネル保持溝６２の見込方向Ｚに対向する壁部にはパネル２４、２６の周縁部を挟み込む室外側ビート５４及び室内側ビート５６が装着される。詳しくは、パネル保持溝６２の見込方向に対向する壁部のうち、室外側の壁部には溝状のビート装着部６４が形成される。ビート装着部６４は入口部より溝底部の方が溝幅が大きくなるように形成される。ビート装着部６４には、室外側ビート５４の一部が嵌め込まれることで、室外側ビート５４が装着される。パネル保持溝６２の見込方向に対向する壁部のうち、室内側の壁部は見込方向Ｚに延びる板状をなし、その室外側端部には室内側ビート５６が装着される。
【００２５】
室外側ビート５４及び室内側ビート５６は弾性体である。室外側ビート５４及び室内側ビート５６は、枠部材４０、４２、４６、５０や押縁部材４４、４８、５２とパネル２４、２６の周縁部との間に弾性変形した状態で挟み込まれ、その弾性変形に起因する復元力により、これらの間をシールする。室外側ビート５４及び室内側ビート５６はパネル２４、２６の三辺の周縁部に沿って連なるように設けられる。
【００２６】
図４は図２のＣ−Ｃ線断面図である。
吊りパネル２６に関連する構成を説明する。吊りパネル２６には、隣り合う上側の上横枠３０に装着された室外側ビート５４及び室内側ビート５６による挟み込み箇所よりも、上側に一部がはみ出るはみ出し部２６ａが設けられる。
【００２７】
図１、図３に示すように、窓１８は、さらに、吊りパネル２６の一部の箇所から荷重を受けて、吊りパネル２６と隣り合う下側の中間横枠３２に受けた荷重を伝達する第１荷重伝達部６６を有する。本実施形態の第１荷重伝達部６６はセッティングブロック６８である。セッティングブロック６８は、吊りパネル２６に対して下側において、左右方向の両側のうち、連窓の角部２０とは反対側に偏った箇所に配置される（詳しくは後述する）。
【００２８】
セッティングブロック６８は、中間横枠３２のパネル保持溝６２の溝底側に配置される。詳しくは、セッティングブロック６８は、中間横枠３２のパネル保持溝６２の溝底側に設けられる底壁部６２ａ上に載せられる。セッティングブロック６８上には吊りパネル２６が載せられる。吊りパネル２６はセッティングブロック６８を介して中間横枠３２に支持される。セッティングブロック６８は、吊りパネル２６を載せることで、吊りパネル２６から荷重を受けて中間横枠３２に受けた荷重を伝達する。
【００２９】
なお、セッティングブロック６８は、吊りパネル２６以外のパネル２４に対して下側において、パネル２４の左右方向の両側にも配置される。このセッティングブロック６８も、パネル２４と隣り合う下側の下横枠２８のパネル保持溝６２の溝底側に配置される。
【００３０】
図１、図４に示すように、窓１８は、さらに、吊りパネル２６の一部の箇所から荷重を受けて、吊りパネル２６と隣り合う上側の上横枠３０に受けた荷重を伝達する第２荷重伝達部７０を有する。本実施形態の第２荷重伝達部７０は、引っ掛け部材７２と接着層（不図示）との組み合わせにより構成される。第２荷重伝達部７０を構成する引っ掛け部材７２と接着層は、第１荷重伝達部６６を構成するセッティングブロック６８より上方に配置される。
【００３１】
引っ掛け部材７２はアルミニウムをはじめとした金属や樹脂等を素材として、各部位が一体成形された成形品である。引っ掛け部材７２は、上横枠３０の一部に引っ掛けられる引っ掛け部７２ａと、吊りパネル２６に接着により取り付けられるパネル取付部７２ｂとを有する。
【００３２】
引っ掛け部７２ａは、引っ掛け部材７２の一部を折り返すように曲げた形状をもつ。引っ掛け部７２ａは、その先端部分７２ａａや曲げ内側部分７２ａｂが上横枠３０の一部に引っ掛けられる。
【００３３】
パネル取付部７２ｂは引っ掛け部７２ａの先端側とは反対側の基端側に設けられる。パネル取付部７２ｂは板状をなし、吊りパネル２６の上側の周縁部に対して見込方向Ｚに重なる位置に配置される。詳しくは、パネル取付部７２ｂは、吊りパネル２６の室外側ビート５４及び室内側ビート５６による挟み込み箇所からはみ出したはみ出し部分２６ａに対して見込方向Ｚに重なる位置に配置される。パネル取付部７２ｂは、吊りパネル２６の厚さ方向の一面となる室内面２６ｂと見込方向Ｚに対向する面が、その室内面２６ｂに対して接着により取り付けられている。引っ掛け部材７２のパネル取付部７２ｂと吊りパネル２６とは接着層を介して取り付けられているともいえる。
【００３４】
本実施形態では、引っ掛け部材７２のパネル取付部７２ｂと吊りパネル２６とは、熱接着性をもつ接着剤により接着されている。ここでの熱接着性とは加熱により接着性を発現する性質をいう。この種の熱接着性をもつ接着剤の具体的成分は特に限定されず、たとえば、公知の成分のものが用いられてよい。このような熱接着性をもつ接着剤は、溶剤揮発型接着剤、湿気硬化型接着剤と比べて高い接着力を得やすいことから選択している。
【００３５】
上横枠３０には引っ掛け部材７２を引っ掛けるための掛け止め部７４が設けられる。掛け止め部７４は、上横枠部材４２のビート装着部６４に連なるように形成される。詳しくは、上横枠３０の上横枠部材４２は、吊りパネル２６の周縁部に対して見付方向に対向する位置にて見込方向Ｚに延びる周壁部３０ｂと、周壁部３０ｂの室外側端部から上横枠部材４２の内周側に延び出る室外側延出部３０ｃとを有する。上横枠部材４２の室外側延出部３０ｃは、吊りパネル２６の周縁部に対して室外側に配置され、その周縁部と見込方向Ｚの位置が重なるように設けられる。上横枠部材４２の室外側延出部３０ｃには吊りパネル２６の周縁部と見込方向Ｚに対向する位置に前述のビート装着部６４が形成される。前述の掛け止め部７４は、このビート装着部６４の上端部に連なるように形成されている。
【００３６】
掛け止め部７４は、上横枠３０の室外側延出部３０ｃから見込方向Ｚの一方側（室内側）に延び出る第１延出部７４ａと、第１延出部７４ａの先端部から上側に延び出る第２延出部７４ｂとを有する。吊りパネル２６は、引っ掛け部材７２を上横枠３０の掛け止め部７４の第２延出部７４ｂに引っ掛けることで、上横枠３０により吊られた状態で支持される。別の観点からみると、第２荷重伝達部７０を構成する引っ掛け部材７２等は、吊りパネル２６から荷重を受けて、上横枠３０の一部に受けた荷重を伝達していることになる
【００３７】
図５は建具１０の一つの窓１８を正面から見た模式図である。
ここで、吊りパネル２６は、その重心Ｇに対して左右方向Ｘの一方側に偏った箇所Ｐａが、第１荷重伝達部６６を介して中間横枠３２により支持されている。詳しくは、吊りパネル２６は、その重心Ｇに対して左右方向Ｘの連窓の角部２０側（以下、角側Ｓａという）とは反対側Ｓｂに偏った箇所Ｐａが、第１荷重伝達部６６を介して中間横枠３２により支持されている。別の観点からいうと、吊りパネル２６は、その重心Ｇに対して角側Ｓａに偏った箇所Ｐｂが中間横枠３２により支持されていない。また、吊りパネル２６は、その重心Ｇに対して左右方向Ｘの他方側に偏った箇所Ｐｃが、第２荷重伝達部７０を介して上横枠３０により吊られた状態で支持されている。詳しくは、吊りパネル２６は、その重心Ｇに対して左右方向Ｘの角側Ｓａに偏った箇所Ｐｃが、第２荷重伝達部７０を介して上横枠３０により吊られた状態で支持されている。別の観点からいうと、吊りパネル２６は、その重心Ｇに対して左右方向Ｘの角側Ｓａとは反対側Ｓｂに偏った箇所Ｐｄが上横枠３０により支持されていない。
【００３８】
このとき、第１荷重伝達部６６は、吊りパネル２６の重心Ｇに対して左右方向Ｘの角側Ｓａとは反対側Ｓｂに偏った箇所Ｐａからのみ荷重を受けており、重心Ｇに対して左右方向Ｘの角側Ｓａ側に偏った箇所Ｐｂからは荷重を受けていないことになる。このような条件を満たすうえで、セッティングブロック６８は、吊りパネル２６の重心Ｇに対して左右方向Ｘの角側Ｓａとは反対側Ｓｂに偏った箇所Ｐａの下側にのみ配置され、角側Ｓａに偏った箇所Ｐｂの下側に配置されていない。
【００３９】
また、第２荷重伝達部７０は、吊りパネル２６の重心Ｇに対して左右方向Ｘの角側Ｓａに偏った箇所Ｐｃからのみ荷重を受けており、重心Ｇに対して左右方向Ｘの角側Ｓａとは反対側Ｓｂに偏った箇所Ｐｄからは荷重を受けていないことになる。このような条件を満たすうえで、引っ掛け部材７２のパネル取付部７２ｂは、吊りパネル２６の重心Ｇに対して、左右方向Ｘの角側Ｓａにのみ取り付けられ、角側Ｓａとは反対側Ｓｂに偏った箇所Ｐｄには取り付けられていない。
【００４０】
以上の建具１０の作用効果を説明する。
吊りパネル２６は、上側の上横枠３０により支持されるため、下側の中間横枠３２に付与される荷重を軽減でき、下側の中間横枠３２により負担すべき荷重の大きさを抑えられる。よって、吊りパネル２６の全荷重を中間横枠３２により負担するよりも、中間横枠３２に対する負担を軽減させることができる。
【００４１】
また、吊りパネル２６は、重心Ｇに対して左右方向Ｘの一方側に偏った箇所Ｐａが中間横枠３２により支持される。よって、吊りパネル２６から中間横枠３２に荷重が付与される箇所を左右方向Ｘの一方側に偏らせることができ、中間横枠３２の左右方向Ｘの他方側部分３２ａ（図５参照）に対する負担を軽減させることができる。
【００４２】
これらが相まって、中間横枠３２に要求される強度条件、特に、中間横枠３２の他端側部分３２ａに要求される強度条件を緩和でき、中間横枠３２の構造に関して設計上の自由度を高めることができる。たとえば、本実施形態の建具１０では、吊りパネル２６の全荷重を中間横枠３２により負担するよりも、要求される強度条件が緩和されているため、断面寸法の大型化、素材の高強度化をせずとも中間横枠３２の強度を確保し易くなる。これは、中間横枠３２のスリム化を実現し易いことにもつながる。また、本実施形態の建具１０では、中間横枠３２の一端側部分３２ｂより他方側部分３２ａに要求される強度条件が緩和されている。よって、中間横枠３２の一端側部分３２ｂには補強部材を取り付け、他端側部分３２ａには補強部材を取り付けない場合でも、中間横枠３２の強度を確保できるような設計を実現し易くなる。
【００４３】
特に、本実施形態のように窓１８が段窓の場合、上段側の吊りパネル２６の下側に隣り合う中間横枠３２は、建物の躯体に縦枠３４を介して支持され、下横枠２８のように、建物の躯体に直接に支持されていない。よって、吊りパネル２６から中間横枠３２に付与される荷重を建物の躯体に分散させ難くなり、中間横枠３２に対する負担が増大し易くなる。この点、本実施形態によれば、このように負担が増大し易い状況のもとにある中間横枠３２であっても、その負担を軽減させることができる。
【００４４】
また、本実施形態のように、複数の窓１８が角部２０をもつ連窓を構成するように並べられている場合、中間横枠３２の角側Ｓａの他端側部分３２ａは、中間横枠３２の角側Ｓａとは反対側Ｓｂの一端側部分３２ｂより建物の躯体から離れた位置にある。よって、吊りパネル２６から中間横枠３２の角側Ｓａの他端側部分３２ａに伝達される荷重を建物の躯体に分散させ難くなり、その中間横枠３２に対する負担が更に増大し易くなる。
【００４５】
この点、本実施形態によれば、連窓の角側Ｓａとは反対側Ｓｂに偏った箇所で吊りパネル２６の荷重が下側の中間横枠３２に伝達され、中間横枠３２の他端側部分３２ａに荷重が伝達され難くなる。よって、吊りパネル２６から中間横枠３２に伝達された荷重を縦枠３４を介して建物の躯体に分散させ易くなり、負担が増大し易い状況のもとにある中間横枠３２であっても、その負担を軽減させることができる。
【００４６】
また、本実施形態の複数の窓１８それぞれの枠体２２は、そもそも、連窓の角部２０に中間縦枠がない構造である。よって、建具１０の外観がすっきりとしたものとなり、良好な意匠性を得られる。
【００４７】
図６（ａ）は参考例の建具１００の一つの窓１８の曲げモーメント図である。図６（ｂ）は実施形態の一つの窓１８の曲げモーメント図である。各図では窓１８の中間横枠３２の曲げモーメントＭを示す。参考例の建具１００は、上段側のパネル２４と中間横枠３２との間にて、パネル２４の左右両側の二箇所にセッティングブロック６８が配置されている。
【００４８】
連窓の角部２０に中間縦枠がない場合、中間横枠３２は、片持ち梁のように、縦枠３４に対して角側Ｓａとは反対側Ｓｂの一端部のみが支持された状態となる。このとき、中間横枠３２と縦枠３４との接続部７６や中間横枠３２には、中間横枠３２に対する吊りパネル２６の荷重付与箇所から中間横枠３２の固定端（接続部７６）までの距離Ｌａ、Ｌｂに応じた曲げモーメントＭが付与される。
【００４９】
参考例の建具１００では、右のセッティングブロック６８から固定端までの距離Ｌａに応じた第１曲げモーメントと、左のセッティングブロック６８から固定端までの距離Ｌｂに応じた第２曲げモーメントとを合成した曲げモーメントＭが生じる。参考例の建具１０では、角側Ｓａの荷重付与箇所（左のセッティングブロック６８）から固定端までの距離Ｌｂが過度に増大してしまい、中間横枠３２と縦枠３４との接続部や中間横枠３２に対する曲げモーメントＭによる負担が過度に増大してしまう。この傾向は、建具１０が大型化した場合、パネル２４の角側Ｓａの荷重付与箇所から中間横枠３２の固定端までの距離Ｌｂが長くなり易いことから、特に顕在化し易い。
【００５０】
（Ａ）この点、本実施形態によれば、図６（ｂ）に示すように、吊りパネル２６は、その重心Ｇに対して角側Ｓａとは反対側Ｓｂに偏った箇所、つまり、中間横枠３２の固定端に近い箇所でのみ支持される。よって、中間横枠３２と縦枠３４との接続部７６や、中間横枠３２に付与される曲げモーメントＭが効果的に抑えられ、中間横枠３２や縦枠３４に対する負担の増大を効果的に軽減できる。
【００５１】
また、建具１０が大型化した場合でも、中間横枠３２による吊りパネル２６の支持位置の調整により、吊りパネル２６に起因する曲げモーメントＭを簡単に軽減できる。よって、本実施形態によれば、建具１０の大型化を容易に実現できる面も利点にある。
【００５２】
また、吊りパネル２６に対して、その重心Ｇ周りの一方向の反力が下側の横枠３２から付与されるとすると、吊りパネル２６の重心Ｇ周りのモーメントの釣り合いをとるためには、その重心Ｇ周りの逆方向の反力を上側の横枠３０から付与する必要がある。本実施形態の吊りパネル２６は、その重心Ｇに対して、下側の横枠３２による支持箇所とは左右反対側に偏った箇所が上側の横枠３０により支持され、吊りパネル２６の重心Ｇを挟んだ左右両側の箇所で支持されることになる。よって、上側の横枠３０と下側の横枠３２とから吊りパネル２６に対して鉛直上向きの大きな反力を付与するだけで、吊りパネル２６の重心周りのモーメントの釣り合いを簡単にとれるようになる。よって、吊りパネル２６の重心Ｇ周りのモーメントの釣り合いをとるための構造を簡素化できる。
【００５３】
なお、前述の（Ａ）で説明した作用効果を得る観点からは、以下の条件を満たすと好ましい。図５を参照する。吊りパネル２６の左右方向での寸法をＬ０［ｍ］とする。このとき、吊りパネル２６は、重心Ｇに対して左右方向の角側Ｓａとは反対側ＳｂにＬ０／４以上離れた箇所Ｐａが隣り合う下側の横枠３２により支持されるとよい。これにより、中間横枠３２に対する吊りパネル２６の荷重付与箇所から中間横枠３２の固定端（接続部７６）までの距離を短くでき、より効果的に中間横枠３２等に付与される曲げモーメントを抑えられる。
【００５４】
本実施形態の建具１０の他の特徴を説明する。本実施形態の建具１０の施工方法の一例を説明する。この建具１０の施工方法には、主に、下記の工程が含まれる。
（１）枠体２２の上横枠部材４２、縦枠部材５０、下横枠部材４０、中間横枠部材４６を枠組みした状態で建物の開口部１２に取り付ける。
（２）枠体２２に装着した室外側ビート５４に室内側からパネル２４、２６を押し当てるように配置する。
（３）枠体２２の上横枠部材４２、縦枠部材５０、中間横枠部材４６のそれぞれに押縁部材４４、４８、５２を取り付けて、パネル２４、２６に室内側から室外側ビート５４を押し当てるように配置する。
【００５５】
ここで、建具１０は、図４に示すように、吊りパネル２６に対して上側の上横枠３０により吊りパネル２６を支持するために引っ掛け部材７２を用いている。よって、建具１０の施工時、前述の工程（２）をするとき、建物の開口部１２に予め取り付けられた上横枠部材４２の一部に引っ掛け部材７２を引っ掛けるだけで、上横枠３０に対して吊りパネル２６を支持させた状態を簡易に実現できる。
【００５６】
このような引っ掛け部材７２の引っ掛け部７２ａは、吊りパネル２６に対して厚さ方向の室外面２６ｃ側（一面側）に配置され、引っ掛け部材７２のパネル取付部７２ｂは、吊りパネル２６の厚さ方向の室内面２６ｂ（他面側）に取り付けられる。この利点を説明する。
【００５７】
複数部材を接着により一体化する場合、良好な接着力を確保するためには、一方の部材から他方の部材に向けて均一な圧力を与える圧締作業をする必要がある。また、熱接着性をもつ接着剤を用いて複数部材を接着する場合、圧締作業時に接着剤を加熱する必要がある。
【００５８】
図７（ａ）は第１変形例の引っ掛け部材７２を示す図である。
このように、引っ掛け部材７２の引っ掛け部７２ａとパネル取付部７２ｂとの両方が吊りパネル２６の室外面２６ｃ側に配置されているケースを考える。このケースでは、前述の圧締作業をするため、引っ掛け部材７２のパネル取付部７２ｂに接着面７２ｂａとは反対側から圧力を与えようとしたとき、作業者の指等が引っ掛け部７２ａと干渉してしまい、圧締作業での作業性の低下を招く。
【００５９】
図７（ｂ）は第２変形例の引っ掛け部材７２を示す図である。
圧締作業での作業性を良好にするため、パネル取付部７２ｂに対して引っ掛け部７２ａが更に上側に配置される形状の引っ掛け部材７２を利用する手段もある。しかしながら、このような引っ掛け部材７２を用いた場合、その背反として、引っ掛け部材７２の大型化のみならず、引っ掛け部材７２を引っ掛ける動作を許容するためのスペース７８の上下寸法の増大を招き、上横枠３０の大型化まで招いてしまう。
【００６０】
この点、本実施形態によれば、図４に示すように、引っ掛け部材７２の引っ掛け部７２ａは吊りパネル２６に対して室外面２６ｃ側に配置され、パネル取付部７２ｂは吊りパネル２６の室内面２６ｂに取り付けられる。よって、引っ掛け部材７２のパネル取付部７２ｂと吊りパネル２６との接着のために圧締作業をするとき、引っ掛け部材７２の引っ掛け部７２ａと作業者の指等が干渉し難くなり、圧締作業での作業性が良好になる。また、圧締作業の作業性を良好にするために、引っ掛け部材７２の大型化が不要となるため、上横枠３０の大型化を防止できる利点もある。
【００６１】
なお、このような作用効果を発揮する観点からは、引っ掛け部材７２のパネル取付部７２ｂは、吊りパネル２６の側面２６ｄに取り付けられてもよい。ここでの吊りパネル２６の側面２６ｄとは、吊りパネル２６の厚さ方向に直交する方向の外側を向く面をいう。ただし、十分に広い接着面を確保する観点からは、吊りパネル２６の室外面２６ｃに取り付けられていると好ましい。
【００６２】
また、上横枠３０の掛け止め部７４は他の部位と一体成形されている。よって、上横枠３０に掛け止め部７４を設けるために専用品を取り付ける必要がなくなり、建具１０の部品点数の削減を図ることができる。
【００６３】
また、吊りパネル２６は様々な厚さ寸法の範囲に設定される。上横枠３０の掛け止め部７４の裏面側には、上横枠３０の室外側延出部３０ｃと掛け止め部７４との間に隙間８０が形成される。この隙間８０の見込方向Ｚの寸法Ｌ１が過度に小さいと、吊りパネル２６の厚さ寸法が変動したとき、この隙間８０に引っ掛け部材７２の引っ掛け部７２ａを配置できなくなる恐れがある。この対策として、この隙間８０の見込方向Ｚの寸法Ｌ１は、吊りパネル２６の設計上予め想定される厚さ寸法範囲によらず、引っ掛け部材７２の引っ掛け部７２ａを配置可能な大きさに設定される。
【００６４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６５】
窓１８は、角部２０をもつ連窓を構成するように左右に複数並べられる例を説明したが、単数の窓１８のみで構成されてもよい。この場合、枠体２２は、矩形の四辺に沿う位置に配置される上横枠３０、縦枠３４及び下横枠２８を備える構成となる。また、この場合、パネル収容部３６は、矩形の四辺に沿う位置に配置される横枠２８、３０、３２、縦枠３４により囲まれて形成される。また、窓１８はパネル２４、２６が上下に複数並べられた段窓である例を説明したが、単数の吊りパネル２６のみを備えていてもよい。いずれにしても、窓１８は、枠体２２の内側に少なくとも一つのパネルが収められていればよい。
【００６６】
また、窓１８はパネル２４、２６が上下に二段並べられる段窓である例を説明したが、パネル２４、２６が上下に三段以上並べられる段窓でもよい。この場合、窓１８の最下段にあるパネル２４より上段側にある全てのパネルを吊りパネル２６としてもよいし、上段側にある一部のパネルを吊りパネル２６としてもよい。
【００６７】
パネル２４、２６は単板ガラスを例に説明したが、これに限られない。パネル２４、２６は、例えば、複数の板ガラスを厚さ方向に重ねて接合した合わせガラスでもよいし、複数の板ガラスを厚さ方向に並べてスペーサを介して接合した複層ガラスでもよい。
【００６８】
吊りパネル２６は、その重心Ｇに対して下側の横枠３２による支持箇所と左右方向の反対側の箇所が上側の横枠３０により支持される例を説明したが、上側の横枠３０による支持箇所は特に限定されない。たとえば、下側の横枠３２により左右方向の一方側に偏った箇所を支持し、かつ、上側の横枠３０により、重心Ｇに対して左右方向の同じ一方側に偏った箇所を支持してもよいし、重心Ｇの上側の箇所を支持してもよい。
【００６９】
また、第１荷重伝達部６６はセッティングブロックである例を説明したが、これに限定されない。たとえば、第１荷重伝達部６６はグレージングチャンネル等でもよい。
【００７０】
また、吊りパネル２６を上側の横枠により支持するため、第２荷重伝達部７０の一部となる引っ掛け部材７２を用いる例を説明したが、この支持態様は特に限定されない。たとえば、吊りパネル２６を上側の横枠や縦枠に対して直接に接着等により取り付けてもよい。この場合、第２荷重伝達部７０は接着層により構成されることになる。
【００７１】
引っ掛け部材７２の引っ掛け部７２ａや上横枠３０の掛け止め部７４は、吊りパネル２６の厚さ方向の一面となる室外面２６ｃ側に配置される例を説明した。これらの位置関係は特に限定されない。たとえば、これらは吊りパネル２６の室内面２６ｂ側に配置されてもよい。
【００７２】
引っ掛け部材７２のパネル取付部７２ｂは、熱接着性をもつ接着剤により接着されることで、パネル２４、２６に取り付けられる例を説明した。引っ掛け部材７２のパネル２４、２６に対する取付手段は特に限定されない。たとえば、ＤＰＧ（Dot Point Glazing）工法等のように、パネル２４、２６に設けた穴に引っ掛け部材７２の一部を挿通させることで、引っ掛け部材７２を取り付けてもよい。
【００７３】
上横枠３０の掛け止め部７４は他の部位と一体成形されている例を説明したが、上横枠３０等の横枠とは別体により構成されていてもよい。
【００７４】
以上の実施形態、変形例により具体化される発明を一般化すると、以下の技術的思想が導かれる。以下、発明が解決しようとする課題に記載の態様を用いて説明する。
【００７５】
第２の態様の建具は、第１の態様において、前記上側の横枠は、前記吊りパネルの重心に対して、前記下側の横枠による支持箇所とは左右反対側に偏った箇所を支持してもよい。
この態様によれば、上側の横枠と下側の横枠とから吊りパネルに対して鉛直上向きの大きな反力を付与するだけで、吊りパネルの重心周りのモーメントの釣り合いを簡単にとれるようになる。このため、吊りパネルの重心周りのモーメントの釣り合いをとるための構造を簡素化できる。
【００７６】
第３の態様の建具は、第１又は第２の態様において、前記窓は、前記パネルが上下に複数並べられ、前記吊りパネルは、前記窓の最下段にあるパネルより上段側にあるパネルであってもよい。
パネルが上下に複数並べられた窓の場合、窓の上段側のパネルから下側に隣り合う横枠に付与される荷重を建物の躯体に分散させ難くなり、その横枠に対する負担が増大し易くなる。この態様によれば、このように負担が増大し易い状況のもとにある横枠であっても、その負担を軽減させることができる。
【００７７】
第４の態様の建具は、第３の態様において、前記窓は、左右に複数並べられて角部をもつように配置され、前記下側の横枠は、前記吊りパネルの重心に対して、左右方向の前記角部とは反対側に偏った箇所を支持し、前記上側の横枠は、前記吊りパネルの重心に対して、左右方向の前記角部側に偏った箇所を支持してもよい。
複数の窓が角部をもつように配置されている場合、吊りパネルの下側に隣り合う横枠の角部側の他端側部分に荷重が伝達されたとき、その荷重を建物の躯体に分散させ難くなり、その横枠に対する負担が更に増大し易くなる。この態様によれば、このように負担が増大し易い状況のもとにある横枠であっても、その負担を軽減させることができる。
【００７８】
第５の態様の建具は、第４の態様において、前記複数の窓それぞれの枠体は、前記角部に縦枠がない構造であってもよい。
この態様によれば、建具の外観がすっきりとしたものになり、良好な意匠性を得られる。
【００７９】
第６の態様の建具は、第１〜第５の態様のいずれかにおいて、前記窓は、前記吊りパネルに取り付けられ、前記上側の横枠の一部に引っ掛けられる引っ掛け部材を備えてもよい。
この態様によれば、建具の施工時、建物の開口部に予め取り付けられた上側の横枠の一部に引っ掛け部材を引っ掛けるだけで、上側の横枠に対して吊りパネルを支持させる状態を簡易に実現できる。
【００８０】
第７の態様の建具は、第６の態様において、前記引っ掛け部材は、前記上側の横枠の一部に引っ掛けられる引っ掛け部と、前記吊りパネルに接着により取り付けられるパネル取付部と、を有し、前記引っ掛け部は、前記吊りパネルに対して厚さ方向の一面側に配置され、前記パネル取付部は、前記吊りパネルの一面とは反対側の他面、又は、前記吊りパネルの側面に取り付けられてもよい。
この態様によれば、引っ掛け部材のパネル取付部と吊りパネルとの接着のために圧締作業をするとき、引っ掛け部材の引っ掛け部と作業者の指等が干渉し難くなり、圧締作業での作業性が良好になる。
【００８１】
第８の態様の建具は、第６又は第７の態様において、前記上側の横枠は、前記引っ掛け部材が引っ掛けられ、他の部位と一体成形されている掛け止め部を有してもよい。
この態様によれば、上側の横枠に掛け止め部を設けるために専用品を取り付ける必要がなくなり、建具の部品点数の削減を図ることができる。
【符号の説明】
【００８２】
１０…建具、１８…窓、２０…角部、２２…枠体、２４…パネル，２６…吊りパネル、２８…下横枠、３０…上横枠、３２…中間横枠、３４…縦枠、７２…引っ掛け部材、７２ａ…引っ掛け部、７２ｂ…パネル取付部、７４…掛け止め部。
【図１】
2017122320.tif 000003
【図２】
2017122320.tif 000004
【図３】
2017122320.tif 000005
【図４】
2017122320.tif 000006
【図５】
2017122320.tif 000007
【図６】
2017122320.tif 000008
【図７】
2017122320.tif 000009